(57)【要約】【課題】撮影装置を携帯するユーザの撮影機会の逸失を低減又は防止することができる通知システム、並びにウェアラブル機器、情報処理装置、撮影装置、及びそれらの制御方法を提供する。【解決手段】無線通信で撮影装置と通信を確立する通信部と、撮影装置により撮影を行うべき撮影機会が到来したか否かを判断する判断部と、撮影装置と通信が確立している場合において、撮影機会が到来したと判断部が判断したときに、撮影機会の到来のユーザへの通知を行う通知制御部とを有する。【選択図】図３
2017215858.tif 000002
【特許請求の範囲】
【請求項１】
無線通信で撮影装置と通信を確立する通信部と、
前記撮影装置により撮影を行うべき撮影機会が到来したか否かを判断する判断部と、
前記撮影装置と前記通信が確立している場合において、前記撮影機会が到来したと前記判断部が判断したときに、前記撮影機会の到来のユーザへの通知を行う通知制御部と
を有することを特徴とするウェアラブル機器。
【請求項２】
表示部をさらに有し、
前記通知制御部は、前記撮影機会の前記到来を通知する通知画面を前記表示部に表示することを特徴とする請求項１記載のウェアラブル機器。
【請求項３】
位置情報を取得する位置情報取得部をさらに有し、
前記判断部は、前記位置情報取得部により取得された前記位置情報に基づき、撮影すべき撮影対象に前記ユーザが所定の距離範囲内に近づいたと判断したときに、前記撮影機会が到来したと判断することを特徴とする請求項１又は２に記載のウェアラブル機器。
【請求項４】
前記判断部は、前記ユーザにより予め設定された所定の時刻が到来したときに、前記撮影機会が到来したと判断することを特徴とする請求項１又は２に記載のウェアラブル機器。
【請求項５】
前記ユーザが前記撮影装置を操作していないと推定される待機モードを有する前記撮影装置のモードの状態を取得するモード取得部をさらに有し、
前記通知制御部は、前記撮影装置の前記モードの状態が前記待機モードでない場合に、前記撮影装置の表示部に、前記撮影機会の前記到来を通知する通知画面を表示させることを特徴とする請求項１乃至４のいずれか１項に記載のウェアラブル機器。
【請求項６】
前記通知制御部は、特定の撮影対象について前記ユーザにより通知不要が設定された場合、又は特定の撮影対象について前記撮影装置による撮影経験がある場合に、前記特定の撮影対象について前記撮影機会の前記到来の前記ユーザへの通知を行わないことを特徴とする請求項１乃至５のいずれか１項に記載のウェアラブル機器。
【請求項７】
無線通信で撮影装置と通信を確立するステップと、
前記撮影装置により撮影を行うべき撮影機会が到来したか否かを判断するステップと、
前記撮影装置と前記通信が確立している場合において、前記撮影機会が到来したと判断したときに、前記撮影機会の到来のユーザへの通知を行うステップと
を有することを特徴とするウェアラブル機器の制御方法。
【請求項８】
コンピュータを請求項１乃至６のいずれか１項に記載のウェアラブル機器の各部として機能させるプログラム。
【請求項９】
無線通信で撮影装置及びウェアラブル機器と通信を確立する通信部と、
前記撮影装置により撮影を行うべき撮影機会が到来したか否かを判断する判断部と、
前記撮影装置及び前記ウェアラブル機器と前記通信が確立している場合において、前記撮影機会が到来したと前記判断部が判断したときに、前記撮影機会の到来のユーザへの通知を前記ウェアラブル機器又は前記撮影装置に行わせる通知制御部と
を有することを特徴とする情報処理装置。
【請求項１０】
前記通知制御部は、前記撮影機会の前記到来を通知する通知画面を前記ウェアラブル機器の表示部に表示させることを特徴とする請求項９記載の情報処理装置。
【請求項１１】
位置情報を取得する位置情報取得部をさらに有し、
前記判断部は、前記位置情報取得部により取得された前記位置情報に基づき、撮影すべき撮影対象に前記ユーザが所定の距離範囲内に近づいたと判断したときに、前記撮影機会が到来したと判断することを特徴とする請求項９又は１０に記載の情報処理装置。
【請求項１２】
前記判断部は、前記ユーザにより予め設定された所定の時刻が到来したときに、前記撮影機会が到来したと判断することを特徴とする請求項９又は１０に記載の情報処理装置。
【請求項１３】
前記ユーザが前記撮影装置を操作していないと推定される待機モードを有する前記撮影装置のモードの状態を取得するモード取得部をさらに有し、
前記通知制御部は、前記撮影装置の前記モードの状態が前記待機モードでない場合に、前記撮影装置の表示部に、前記撮影機会の前記到来を通知する通知画面を表示させることを特徴とする請求項９乃至１２のいずれか１項に記載の情報処理装置。
【請求項１４】
前記通知制御部は、特定の撮影対象について前記ユーザにより通知不要が設定された場合、又は特定の撮影対象について前記撮影装置による撮影経験がある場合に、前記特定の撮影対象について前記撮影機会の前記到来の前記ユーザへの通知を前記ウェアラブル機器に行わせないことを特徴とする請求項９乃至１３のいずれか１項に記載の情報処理装置。
【請求項１５】
無線通信で撮影装置及びウェアラブル機器と通信を確立するステップと、
前記撮影装置により撮影を行うべき撮影機会が到来したか否かを判断するステップと、
前記撮影装置及び前記ウェアラブル機器と前記通信が確立している場合において、前記撮影機会が到来したと判断したときに、前記撮影機会の到来のユーザへの通知を前記ウェアラブル機器又は前記撮影装置に行わせるステップと
を有することを特徴とする情報処理装置の制御方法。
【請求項１６】
コンピュータを請求項９乃至１４のいずれか１項に記載の情報処理装置の各部として機能させるプログラム。
【請求項１７】
表示部と、
無線通信で外部装置と通信を確立する通信部と、
前記外部装置と通信が確立している場合において、撮影機会が到来したと判断した前記外部装置からの表示要求に基づき、前記撮影機会の到来を通知する通知画面を前記表示部に表示する表示制御部と
を有することを特徴とする撮影装置。
【請求項１８】
無線通信で外部装置と通信を確立するステップと、
前記外部装置と通信が確立している場合において、撮影機会が到来したと判断した前記外部装置からの表示要求に基づき、前記撮影機会の到来を通知する通知画面を表示部に表示するステップと
を有することを特徴とする撮影装置の制御方法。
【請求項１９】
コンピュータを請求項１７に記載の撮影装置の各部として機能させるプログラム。
【発明の詳細な説明】
【技術分野】
【０００１】
本発明は、ウェアラブル機器、情報処理装置、撮影装置、及びそれらの制御方法、並びにプログラムに関する。
【背景技術】
【０００２】
カメラのユーザは、旅行等でよく知らない土地を訪れることがある。このとき、予め名所や有名建造物に関する情報について調べておくことができれば、ユーザは、その場所に赴くこともできるし、偶然通りかかった道沿いにあった建造物が歴史的建造物であることを判断することができる。したがって、この場合、カメラにより撮影すべき撮影機会をユーザが逃すことはない。
【０００３】
しかしながら、旅行先の観光情報を十分に入手していなかった場合には、観光地へ訪れても名所に行きそびれたり、有名建造物のすぐ横を通りかかったとしても写真を撮ることなく通り過ぎたりしてしまうことがある。このような場合、撮影機会を逃してしまうことになる。
【０００４】
そこで、センターサーバにおいて、多くの人々により撮影されている同一の被写体を検出し、その被写体が見える範囲を算出して見所スポットとして蓄積し、適切な見所スポットをユーザの端末へ配信する技術が提案されている（特許文献１参照）。
【先行技術文献】
【特許文献】
【０００５】
【特許文献１】特開２０１１−０９５８６７号公報
【発明の概要】
【発明が解決しようとする課題】
【０００６】
しかしながら、特許文献１に記載された技術では、ユーザが検索条件を入力することによって、見所スポットの情報がユーザの端末に配信される。つまり、ユーザが端末を操作しなければ、そのような情報を得ることができない。このように、特許文献１に記載された技術では、ユーザが端末を操作して初めて見所スポットに関する情報が得られるため、ユーザがカメラを携帯している場合にもかかわらず、撮影機会を逃す場合が多く生じうる。例えば、ユーザが町歩きをしている最中で、ユーザの端末がカバンの中に入っているようなときは、撮影機会の到来を知ることができない。
【０００７】
本発明の目的は、撮影装置を携帯するユーザの撮影機会の逸失を低減又は防止することができる技術を提供することにある。
【課題を解決するための手段】
【０００８】
本発明の一観点によれば、無線通信で撮影装置と通信を確立する通信部と、前記撮影装置により撮影を行うべき撮影機会が到来したか否かを判断する判断部と、前記撮影装置と前記通信が確立している場合において、前記撮影機会が到来したと前記判断部が判断したときに、前記撮影機会の到来のユーザへの通知を行う通知制御部とを有することを特徴とするウェアラブル機器が提供される。
【０００９】
本発明の他の観点によれば、無線通信で撮影装置と通信を確立するステップと、前記撮影装置により撮影を行うべき撮影機会が到来したか否かを判断するステップと、前記撮影装置と前記通信が確立している場合において、前記撮影機会が到来したと判断したときに、前記撮影機会の到来のユーザへの通知を行うステップとを有することを特徴とするウェアラブル機器の制御方法が提供される。
【００１０】
本発明のさらに他の観点によれば、無線通信で撮影装置及びウェアラブル機器と通信を確立する通信部と、前記撮影装置により撮影を行うべき撮影機会が到来したか否かを判断する判断部と、前記撮影装置及び前記ウェアラブル機器と前記通信が確立している場合において、前記撮影機会が到来したと前記判断部が判断したときに、前記撮影機会の到来のユーザへの通知を前記ウェアラブル機器又は前記撮影装置に行わせる通知制御部とを有することを特徴とする情報処理装置が提供される。
【００１１】
本発明のさらに他の観点によれば、無線通信で撮影装置及びウェアラブル機器と通信を確立するステップと、前記撮影装置により撮影を行うべき撮影機会が到来したか否かを判断するステップと、前記撮影装置及び前記ウェアラブル機器と前記通信が確立している場合において、前記撮影機会が到来したと判断したときに、前記撮影機会の到来のユーザへの通知を前記ウェアラブル機器又は前記撮影装置に行わせるステップとを有することを特徴とする情報処理装置の制御方法が提供される。
【００１２】
本発明のさらに他の観点によれば、表示部と、無線通信で外部装置と通信を確立する通信部と、前記外部装置と通信が確立している場合において、撮影機会が到来したと判断した前記外部装置からの表示要求に基づき、前記撮影機会の到来を通知する通知画面を前記表示部に表示する表示制御部とを有することを特徴とする撮影装置が提供される。
【００１３】
本発明のさらに他の観点によれば、無線通信で外部装置と通信を確立するステップと、前記外部装置と通信が確立している場合において、撮影機会が到来したと判断した前記外部装置からの表示要求に基づき、前記撮影機会の到来を通知する通知画面を表示部に表示するステップとを有することを特徴とする撮影装置の制御方法が提供される。
【発明の効果】
【００１４】
本発明によれば、撮影装置を携帯するユーザの撮影機会の逸失を低減又は防止することができる。
【図面の簡単な説明】
【００１５】
【図１】本発明の第１の実施形態による通知システムの全体構成を示す模式図である。
【図２】本発明の第１の実施形態によるデジタルカメラの構成を示すブロック図である。
【図３】本発明の第１の実施形態によるウェアラブル機器の構成を示すブロック図である。
【図４】本発明の第１の実施形態による通知システムにおいてユーザに撮影機会の到来を通知する動作を示す模式図である。
【図５Ａ】本発明の第１の実施形態によるウェアラブル機器の動作を示すフローチャートである。
【図５Ｂ】本発明の第１の実施形態によるデジタルカメラの動作を示すフローチャートである。
【図６】本発明の第１の実施形態によるウェアラブル機器の表示部に表示される撮影機会到来の通知画面の例を示す模式図である。
【図７】本発明の第２の実施形態による通知システムの構成を示す模式図である。
【図８】本発明の第２の実施形態によるスマートフォンの構成を示すブロック図である。
【図９】本発明の第２の実施形態による通知システムにおいてユーザに撮影機会の到来を通知する動作を示す模式図である。
【図１０Ａ】本発明の第２の実施形態によるスマートフォンの動作を示すフローチャートである。
【図１０Ｂ】本発明の第２の実施形態によるウェアラブル機器の動作を示すフローチャートである。
【図１０Ｃ】本発明の第２の実施形態によるデジタルカメラの動作を示すフローチャートである。
【図１１】本発明の第３の実施形態による通知システムにおいてユーザに撮影機会の到来を通知する動作を示す模式図である。
【図１２Ａ】本発明の第３の実施形態によるウェアラブル機器の動作を示すフローチャートである。
【図１２Ｂ】本発明の第３の実施形態によるデジタルカメラの動作を示すフローチャートである。
【図１３】本発明の第３の実施形態によるデジタルカメラの表示部に表示される撮影機会到来の通知画面の例を示す模式図である。
【発明を実施するための形態】
【００１６】
以下に、本発明の好ましい実施の形態を、添付の図面に基づいて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１７】
［第１の実施形態］
本発明の第１の実施形態による通知システム、並びにウェアラブル機器、撮影装置、及びそれらの制御方法について図１乃至図６を用いて説明する。
【００１８】
はじめに、本実施形態による通知システムの全体構成について図１を用いて説明する。図１は、本実施形態による通知システムの全体構成を示す模式図である。
本実施形態による通知システムは、撮影装置であるデジタルカメラのユーザに、そのデジタルカメラによる撮影機会の到来を通知するものである。
【００１９】
図１に示すように、本実施形態による通知システム１は、ユーザが撮影に用いるデジタルカメラ１００と、撮影機会の到来を判断してユーザに対して撮影機会の到来を通知するウェアラブル機器２００とを含んでいる。デジタルカメラ１００とウェアラブル機器２００とは、無線通信で互いに通信可能に構成されている。以下、デジタルカメラ１００及びウェアラブル機器２００の構成についてそれぞれ詳述する。
【００２０】
＜デジタルカメラの構成＞
まず、本実施形態による通知システム１におけるデジタルカメラ１００の構成について図２を用いて説明する。図２は、本実施形態による通知システム１における撮影装置の一例であるデジタルカメラ１００の構成例を示すブロック図である。なお、デジタルカメラ１００は、静止画を撮影可能なデジタルスチルカメラであってもよいし、動画を撮影可能なデジタルビデオカメラであってもよいし、両カメラの機能を有するものであってもよい。また、本実施形態では、撮影装置の一例としてデジタルカメラについて述べるが、撮影装置はこれに限られない。撮影装置は、例えば、それぞれカメラ機能及び通信機能を有する携帯型のメディアプレーヤ、いわゆるタブレットデバイス、パーソナルコンピュータ等の撮影機能及び通信機能を有する情報処理装置であってもよい。撮影装置は、静止画及び動画の少なくとも一方を撮影できるものであればよい。
【００２１】
図２に示すように、デジタルカメラ１００は、制御部１０１と、撮像部１０２と、不揮発性メモリ１０３と、作業用メモリ１０４とを有している。さらに、デジタルカメラ１００は、操作部１０５と、表示部１０６と、記録媒体１１０と、接続部１１１とを有している。
【００２２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
撮像部１０２は、レンズと撮像素子と信号処理部とを含み、レンズで結像された被写体光を撮像素子で電気信号に変換する。撮像部１０２は、撮像素子で変換された電気信号に対して、信号処理部でノイズ低減処理等を行い、デジタルデータを画像データとして出力する。撮像部１０２により撮像された画像データは、バッファメモリに蓄えられた後、制御部１０１にて所定の演算処理が行われ、その後、記録媒体１１０に記録される。
【００２３】
不揮発性メモリ１０３は、電気的に消去・記録可能な不揮発性のメモリであり、制御部１０１で実行される後述のプログラム等が格納される。
作業用メモリ１０４は、撮像部１０２で撮像された画像データを一時的に保持するバッファメモリや、表示部１０６の画像表示用メモリ、制御部１０１の作業領域等として使用される。
【００２４】
操作部１０５は、ユーザがデジタルカメラ１００に対する指示をユーザから受け付けるために用いられる。操作部１０５は、例えば、ユーザがデジタルカメラ１００の電源のＯＮ／ＯＦＦを指示するための電源ボタンや、撮影を指示するためのレリーズスイッチ、画像データの再生を指示するための再生ボタン等の操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００２５】
表示部１０６は、撮影の際のビューファインダー画像の表示、撮影した画像データの表示、対話的な操作のための文字表示等を行う。なお、表示部１０６は、必ずしもデジタルカメラ１００が内蔵する必要はない。デジタルカメラ１００は、内部又は外部の表示部１０６と接続することができ、表示部１０６の表示を制御する表示制御機能を少なくとも有していればよい。表示部１０６は、例えばタッチパネルを用いて構成することができ、操作部１０５の一部又は全部の機能を兼ねることができる。
【００２６】
記録媒体１１０は、撮像部１０２から出力された画像データを記録することができる。記録媒体１１０は、デジタルカメラ１００に着脱可能なように構成してもよいし、デジタルカメラ１００に内蔵されていてもよい。すなわち、デジタルカメラ１００は、少なくとも記録媒体１１０にアクセスする手段を有していればよい。
【００２７】
接続部１１１は、外部装置と接続するためのインターフェースである。本実施形態によるデジタルカメラ１００は、接続部１１１を介して、ウェアラブル機器２００等の外部装置と接続し、接続した外部装置とデータのやりとりを行うことができる。本実施形態では、接続部１１１はアンテナを含み、制御部１０１は、アンテナを含む接続部１１１を介して、ウェアラブル機器２００等の外部装置と無線で接続することができる。なお、ウェアラブル機器２００等の外部装置との接続では、直接接続してもよいし、中継サーバーを介して通信してもよい。
【００２８】
例えば、接続部１１１は、Ｂｌｕｅｔｏｏｔｈ（登録商標）モジュールであり、データを通信するためのプロトコルとして、Ｂｌｕｅｔｏｏｔｈを通じた独自プロファイルを用いることができる。なお、ウェアラブル機器２００等の外部装置との通信はこれに限られるものではない。例えば、接続部１１１は、近距離無線通信の通信モジュールであり、赤外線通信モジュール、無線ＬＡＮ（Ｌｏｃａｌ  Ａｒｅａ  Ｎｅｔｗｏｒｋ）通信モジュール等の無線通信モジュールを含むことができる。また、接続部１１１は、Ｗｉｒｅｌｅｓｓ  ＵＳＢ（Ｕｎｉｖｅｒｓａｌ  Ｓｅｒｉａｌ  Ｂｕｓ）モジュール等の無線通信モジュールを含むことができる。さらには、接続部１１１として、ＵＳＢケーブルやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＩＥＥＥ１３９４等、有線接続によるものを採用してもよい。
【００２９】
デジタルカメラ１００は、後述するように、接続部１１１を介して、ウェアラブル機器２００と通信可能に接続することができる。また、ウェアラブル機器２００と接続すべきデジタルカメラ１００は、事前にウェアラブル機器２００とペアリングを行ってウェアラブル機器２００に登録しておくことができる。
以上がデジタルカメラ１００の説明である。
【００３０】
＜ウェアラブル機器の構成＞
次に、本実施形態による通知システム１におけるウェアラブル機器２００について図３を用いて説明する。図３は、本実施形態による通知システム１における情報処理装置の一例であるウェアラブル機器２００の構成例を示すブロック図である。なお、本実施形態では、デジタルカメラ１００のユーザの身体に装着できるウェアラブルな情報処理装置の一例として、スマートウォッチという無線通信機能付きの腕時計を想定したウェアラブル機器について述べるが、ウェアラブル機器はこれに限られない。例えば、ウェアラブル機器は、無線通信機能付きのメガネ、無線通信機能付きの体温計や体組成計、あるいは無線通信機能付きのヘルメット等であってもよい。
【００３１】
図３に示すように、ウェアラブル機器２００は、制御部２０１と、不揮発性メモリ２０３と、作業用メモリ２０４とを有している。また、ウェアラブル機器２００は、操作部２０５と、表示部２０６と、ＲＴＣ（Ｒｅａｌ  Ｔｉｍｅ  Ｃｌｏｃｋ）２０７と、生体情報検出部２０８と、加速度情報検出部２０９と、記録媒体２１０と、接続部２１１とを有している。さらに、ウェアラブル機器２００は、公衆網接続部２１２と、位置情報取得部２１３とを有している。
【００３２】
制御部２０１は、入力された信号や、後述のプログラムに従ってウェアラブル機器２００の各部を制御する。なお、制御部２０１が装置全体を制御する代わりに、複数のハードウェアが処理を分担することで、装置全体を制御してもよい。
【００３３】
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、このＯＳと協働して応用的な機能を実現するアプリケーションが記録されている。また、本実施形態では、不揮発性メモリ２０３には、デジタルカメラ１００と通信するためのアプリケーションが格納されている。
作業用メモリ２０４は、表示部２０６の画像表示用メモリや、制御部２０１の作業領域等として使用される。
【００３４】
操作部２０５は、ウェアラブル機器２００に対する指示をユーザから受け付けるために用いられる。操作部２０５は、例えば、ユーザがウェアラブル機器２００の電源のＯＮ／ＯＦＦを指示するための電源ボタンや、ＲＴＣ２０７を設定する操作部材や、表示部２０６に形成されるタッチパネル等の操作部材を含む。
【００３５】
表示部２０６は、画像データの表示、対話的な操作のための文字表示等を行う。なお、表示部２０６は、必ずしもウェアラブル機器２００が備える必要はない。ウェアラブル機器２００は、表示部２０６と接続することができ、表示部２０６の表示を制御する表示制御機能を少なくとも有していればよい。表示部２０６は、例えばタッチパネルを用いて構成することができ、操作部２０５の一部又は全部の機能を兼ねることができる。
【００３６】
ＲＴＣ２０７は、時刻管理を行う。なお、ＲＴＣ２０７は、時刻管理を行うことができるものであれば、あらゆる方式をとることができる。例えば、ＲＴＣ２０７は、ユーザが操作部２０５により行った時刻設定に基づき時刻管理を行ってもよい。また、例えば、ＲＴＣ２０７は、接続部２１１を介して時刻情報を取得して時刻設定を行うことにより時刻管理を行ってもよい。また、例えば、ＲＴＣ２０７は、電波時計によって捕捉された時計設定に基づき時刻管理を行ってもよい。また、ＲＴＣ２０７は、アナログ時計のようなメカニカル機構から検出機構により時刻情報を検出して取得することができるものであってもよい。この場合、ＲＴＣ２０７には、アナログ時計から時刻情報を検出する検出機構が含まれるものとする。
【００３７】
生体情報検出部２０８は、ウェアラブル機器２００が身体に装着されたユーザの生体情報を検出するセンサーである。生体情報検出部２０８は、生体情報を検出することと、検出できなくなったことを感知することとができればよい。生体情報検出部２０８は、例えば、脈拍を検出するセンサーや、心拍を検出するセンサーや、血流を検出するセンサーや、導電性高分子による皮膚の接触によって電位の変化を検出したことを検知するセンサーを含む。
【００３８】
加速度情報検出部２０９は、加速度の変化を検出するセンサーである。加速度情報検出部２０９は、加速度が発生した場合を感知することができればよい。加速度情報検出部２０９は、この加速度の変化又加速度の発生の有無に関する情報に基づき、ユーザがウェアラブル機器２００を身体に装着して移動しているかどうかを判定することができるものである。
【００３９】
記録媒体２１０は、例えば、デジタルカメラ１００から送信されて接続部２１１を介して制御部２０１に転送された画像データを記録することができる。また、記録媒体２１０は、画像データ以外の他の情報を記録することができ、例えば、生体情報検出部２０８により検出された生体情報を記録することができる。記録媒体２１０は、ウェアラブル機器２００に着脱可能なように構成してもよいし、ウェアラブル機器２００に内蔵されていてもよい。すなわち、ウェアラブル機器２００は、少なくとも記録媒体２１０にアクセスする手段を有していればよい。
【００４０】
接続部２１１は、外部装置と接続するためのインターフェースである。本実施形態によるウェアラブル機器２００は、接続部２１１を介して、デジタルカメラ１００等の外部装置と接続し、接続した外部装置とデータのやりとりを行うことができる。本実施形態では、接続部２１１はアンテナを含み、制御部２０１は、アンテナを含む接続部２１１を介して、デジタルカメラ１００等の外部装置と無線で接続することができる。なお、デジタルカメラ１００等の外部装置との接続では、直接接続してもよいし、中継サーバーを介して通信してもよい。
【００４１】
例えば、接続部２１１は、Ｂｌｕｅｔｏｏｔｈモジュールであり、データを通信するためのプロトコルとして、Ｂｌｕｅｔｏｏｔｈを通じた独自プロファイルを用いることができる。なお、デジタルカメラ１００等の外部装置との通信はこれに限られるものではない。例えば、接続部２１１は、近距離無線通信の通信モジュールであり、赤外線通信モジュール、無線ＬＡＮ通信モジュール、Ｗｉｒｅｌｅｓｓ  ＵＳＢ等の無線通信モジュールを含むことができる。さらには、ＵＳＢケーブルやＨＤＭＩ、ＩＥＥＥ１３９４等、有線接続によるものを採用してもよい。
【００４２】
公衆網接続部２１２は、公衆無線通信を行う際に用いられるインターフェースである。ウェアラブル機器２００は、公衆網接続部２１２を介して、データ通信を行ってインターネット等のネットワークにアクセスすることができる。これにより、制御部２０１は、ネットワークから観光スポットや名所に関する情報を取得することができる。本実施形態では、公衆網接続部２１２は、３Ｇを用いた通信を行うためのインターフェースを含むものとする。なお、３Ｇに限らず、ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）といった他の通信方式を用いてもよい。また、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）、いわゆる４Ｇといった他の通信方式を用いてもよい。また、接続部１１１及び公衆網接続部２１２は、必ずしも互いに独立したハードウェアで構成する必要はなく、例えば一つのアンテナで兼用することも可能である。
【００４３】
位置情報取得部２１３は、ウェアラブル機器２００の現在位置に関する位置情報を取得するものである。ウェアラブル機器２００の現在位置は、ウェアラブル機器２００を装着したユーザの現在位置に対応する。例えば、位置情報取得部２１３は、ＧＰＳ（Ｇｌｏｂａｌ  Ｐｏｓｉｔｉｏｎｉｎｇ  Ｓｙｓｔｅｍ）モジュールであり、ＧＰＳ衛星からの電波を受信して測位を行い、ウェアラブル機器２００の現在位置に関する位置情報を取得する。なお、位置情報取得部２１３が位置情報を取得する方式はこれに限定されるものではない。位置情報取得部２１３は、ＧＰＳによる測位のほか、例えば、ウェアラブル機器２００が通信に利用している基地局の位置情報、無線ＬＡＮのアクセスポイントの位置情報を利用して、ウェアラブル機器２００の現在位置に関する位置情報を取得することができる。
以上がウェアラブル機器２００の説明である。
【００４４】
＜ユースケース  その１＞
続いて、本実施形態による通知システム１のユースケースの一例について図４を用いて説明する。図４は、デジタルカメラ１００とウェアラブル機器２００とを含む本実施形態による通知システム１において、ユーザに撮影機会の到来を通知する動作を示す模式図である。
【００４５】
ウェアラブル機器２００は、デジタルカメラ１００により撮影を行うべき撮影機会が到来したことを判断することができる。
例えば、デジタルカメラ１００により朝食、昼食、及び夕食の毎食の料理の写真を撮影するユーザは、朝食、昼食、及び夕食の食事の時刻をウェアラブル機器２００に予め設定しておく。この場合、ウェアラブル機器２００は、ユーザにより予め設定された食事の時刻が到来したら、撮影機会が到来したと判断する。また、例えば、ユーザは、旅の行程等に基づき、イベントの時刻をウェアラブル機器２００に予め設定しておく。この場合、ウェアラブル機器２００は、イベントの時刻が到来するたびに撮影機会が到来したと判断する。また、例えば、ユーザは、撮影ペースを配分した一定の時間間隔をウェアラブル機器２００に予め設定しておく。この場合、ウェアラブル機器２００は、ユーザにより予め設定された一定の時間間隔が経過した時刻が到来するたびに、撮影機会が到来したと判断する。
【００４６】
他の例では、ウェアラブル機器２００は、位置情報取得部２１３により取得されたウェアラブル機器２００の現在位置に関する位置情報に基づき、公衆網接続部２１２を介してインターネット等のネットワークから観光スポットや名所に関する情報を取得する。ウェアラブル機器２００は、ウェアラブル機器２００の現在位置の周辺又は近傍の観光スポットや名所に関する情報を取得することができる。この場合、ウェアラブル機器２００は、ウェアラブル機器２００を装着したユーザが観光スポットや名所等の撮影すべき撮影対象に所定の距離範囲内に近づいたときに、撮影機会が到来したと判断することができる。
【００４７】
また、ウェアラブル機器２００は、例えば、スマートウォッチ等にみられる腕時計の形状をしており、ユーザはその手首等の身体に装着することができる。
【００４８】
ウェアラブル機器２００は、Ｂｌｕｅｔｏｏｔｈ等により、接続部２１１を使用して、デジタルカメラ１００を探索し、デジタルカメラ１００を発見したらデジタルカメラ１００の接続部１１１と無線で接続する。これにより、ウェアラブル機器２００は、デジタルカメラ１００と通信を確立することができる。ウェアラブル機器２００とデジタルカメラ１００とは、予めペアリング操作による相手機器の登録を行うことで、接続可能な距離圏内に相手機器が存在していれば接続して通信可能となる。つまり、通信できれば相手機器が通信圏内に存在していることを確認でき、ペアリング相手であれば無線で接続して通信を確立することができる。これにより、ウェアラブル機器２００は、ユーザが手元近くにデジタルカメラ１００を持ち備えており、デジタルカメラ１００による撮影が可能な状態であると判断することができる。
【００４９】
ウェアラブル機器２００は、デジタルカメラ１００と事前にペアリングを行っておくことで、撮影機会の到来を通知する撮影機会通知モードで動作する。ウェアラブル機器２００が、撮影機会が到来したと判断し、かつ、ユーザがデジタルカメラ１００を手元近くに持ち備えていると判断した場合に、ユーザが身体に装着しているウェアラブル機器２００に撮影機会が到来したことを通知する。
【００５０】
ウェアラブル機器２００による撮影機会到来の通知方法は、特に限定されるものではないが、例えば、ウェアラブル機器２００の表示部２０６に撮影機会が到来した旨のメッセージを表示することができる。図４に示すように、ウェアラブル機器２００は、例えば「撮影チャンスだよ！」といった撮影機会の到来を通知するメッセージを表示部２０６に表示することができる。この際、撮影すべき対象の名称をあわせて表示してもよいし、ウェアラブル機器２００の現在位置から撮影すべき対象までの距離をあわせて表示してもよい。また、ウェアラブル機器２００は、表示部２０６へのメッセージの表示とともに又はメッセージの表示に代えて、撮影機会の到来を通知する通知音を鳴らすことにより、ユーザに撮影機会の到来を通知することもできる。
【００５１】
なお、ウェアラブル機器２００の撮影機会通知モードは、ウェアラブル機器２００又はデジタルカメラ１００の操作でペアリングを解除することで終了することができる。ペアリング解除ではなく、モードをオフする設定があってもよい。
【００５２】
＜ウェアラブル機器の動作＞
次に、本実施形態による通知システム１におけるウェアラブル機器２００の動作及び制御方法について図５Ａを用いて説明する。図５Ａは、本実施形態によるウェアラブル機器２００の動作を示すフローチャートである。図５Ａは、撮影機会通知モードで動作しているときのウェアラブル機器２００の動作を示すものである。
【００５３】
ステップＳ１２０１において、まず、ウェアラブル機器２００の制御部２０１は、Ｂｌｕｅｔｏｏｔｈ等による接続部２１１を使用して、近距離無線通信でデジタルカメラ１００を探索する。制御部２０１は、デジタルカメラ１００が送信するアドバタイズ信号を探索することにより、デジタルカメラ１００を探索する。
【００５４】
ステップＳ１２０２で、制御部２０１がペアリング済みのデジタルカメラ１００を発見したら（ステップＳ１２０２、Ｙｅｓ）、制御部２０１は、ステップＳ１２０３で、接続部２１１を介してデジタルカメラ１００と無線で接続する。制御部２０１は、デジタルカメラ１００に対して接続要求を送信してデジタルカメラ１００と接続する。これにより、制御部２０１は、ウェアラブル機器２００とデジタルカメラ１００との間でＢｌｕｅｔｏｏｔｈ通信等の通信を確立する。このように、制御部２０１は、接続部２１１とともに、無線通信でデジタルカメラ１００を探索して発見したらデジタルカメラ１００と通信を確立する通信部として機能する。
【００５５】
一方、発見していない場合には（ステップＳ１２０２、Ｎｏ）、制御部２０１は、ステップＳ１２０８で撮影機会通知モードが終了しているか否かを判断する。撮影機会通知モードが終了していないと判断する限り（ステップＳ１２０８、Ｎｏ）、ステップＳ１２０１に戻り、制御部２０１は、ペアリング済みのデジタルカメラ１００を探索し続ける。
【００５６】
ウェアラブル機器２００がペアリング済みのデジタルカメラ１００との通信を確立した後、制御部２０１は、ステップＳ１２０４で撮影機会が到来したか否かの判断を行う。このように、制御部２０１は、撮影機会が到来したか否かを判断する判断部として機能する。
【００５７】
この撮影機会の到来の判断は、前述のとおり、観光スポット等に近づいたときでもよいし、ユーザにより予め設定された食事等の時刻が到来したときでもよい。
例えば、制御部２０１は、位置情報取得部２１３により取得されたウェアラブル機器２００の現在位置に関する位置情報に基づき、撮影機会が到来したか否かを判断する。この場合、制御部２０１は、公衆網接続部２１２を介してインターネット等のネットワークから、ウェアラブル機器２００の現在位置の周辺又は近傍の観光スポットや名所等の撮影すべき撮影対象に関する情報を取得する。制御部２０１は、位置情報取得部２１３で取得されたウェアラブル機器２００の現在位置に関する位置情報に基づき、撮影すべき撮影対象に所定の距離範囲内にユーザが近づいたと判断したときに、撮影機会が到来したと判断する。
また、例えば、制御部２０１は、ユーザにより予め設定された食事の時刻等の所定の時刻が到来した場合に、撮影機会が到来したと判断することもできる。
【００５８】
ステップＳ１２０５で撮影機会が到来したと判断した場合には（ステップＳ１２０５、Ｙｅｓ）、制御部２０１は、ステップＳ１２０６でウェアラブル機器２００の表示部２０６に撮影機会到来の通知画面を表示する。このときの通知画面の例を図６に示すが、説明は後述する。このように、制御部２０１は、ウェアラブル機器２００とデジタルカメラ１００との通信が確立している場合において、撮影機会が到来したと判断したときに、撮影機会到来のユーザへの通知を行う通知制御部として機能する。一方、ウェアラブル機器２００とデジタルカメラ１００との通信が確立していない場合、制御部２０１は、撮影機会が到来したか否かの判断を行わず、当然に撮影機会到来のユーザへの通知を行わない。制御部２０１は、ウェアラブル機器２００とデジタルカメラ１００との通信が確立している場合においてのみ、撮影機会到来のユーザへの通知を行う。
【００５９】
ステップＳ１２０５で撮影機会が到来していないと判断した場合（ステップＳ１２０５、Ｎｏ）、ステップＳ１２０７に移行する。また、撮影機会が到来してステップＳ１２０６で通知画面を表示した後も、ステップＳ１２０７に移行する。ステップＳ１２０７で、制御部２０１は、ウェアラブル機器２００とデジタルカメラ１００との間の通信が切断されたか否かを判断する。制御部２０１は、通信が切断されたと判断しない限りは（ステップＳ１２０７、Ｎｏ）、ステップＳ１２０４に戻り、撮影機会が到来したか否かを判断し続ける。
【００６０】
一方、ウェアラブル機器２００とデジタルカメラ１００との間の通信が切断されたと判断した場合には（ステップＳ１２０７、Ｙｅｓ）、制御部２０１は、撮影機会の到来を待機する処理を終了する。続いて、制御部２０１は、ステップＳ１２０８で撮影機会通知モードが終了しているか否かを判断する。
【００６１】
撮影機会通知モードが終了していないと判断すると（ステップＳ１２０８、Ｎｏ）、ステップＳ１２０１に戻る。この場合、制御部２０１は、上記と同様に、ペアリング済みのデジタルカメラ１００を探索し、発見すれば再度通信を確立して撮影機会の到来を通知できるようにする。
【００６２】
また、撮影機会通知モードが終了していると判断すると（ステップＳ１２０８、Ｙｅｓ）、制御部２０１は、撮影機会通知モードでのウェアラブル機器２００の動作を終了する。なお、撮影機会通知モードは、例えば、ウェアラブル機器２００又はデジタルカメラ１００の操作でペアリングを解除することにより終了することができる。
【００６３】
＜デジタルカメラの動作＞
次に、本実施形態による通知システム１におけるデジタルカメラ１００の動作及び制御方法について図５Ｂを用いて説明する。図５Ｂは、本実施形態によるデジタルカメラ１００の動作を示すフローチャートである。図５Ｂは、撮影機会通知モードで動作しているときのデジタルカメラ１００の動作を示すものである。
【００６４】
ステップＳ１１０１において、まず、デジタルカメラ１００の制御部１０１は、Ｂｌｕｅｔｏｏｔｈ等による接続部１１１を使用して、ウェアラブル機器２００の制御部２０１がデジタルカメラ１００を発見できるようにアドバタイズ信号を発信する。ウェアラブル機器２００の制御部２０１は、このアドバタイズ信号を発見すると、デジタルカメラ１００に接続要求を送信する。
【００６５】
ステップＳ１１０２で、制御部１０１は、ウェアラブル機器２００から接続要求を受信すると（ステップＳ１１０２、Ｙｅｓ）、ステップＳ１１０３で、接続部１１１を介してウェアラブル機器２００に無線で接続する。これにより、制御部１０１は、デジタルカメラ１００とウェアラブル機器２００との間でＢｌｕｅｔｏｏｔｈ通信等の通信を確立する。
【００６６】
一方、ウェアラブル機器２００から接続要求を受信していない場合には（ステップＳ１１０２、Ｎｏ）、制御部１０１は、ステップＳ１１０５で撮影機会通知モードが終了しているか否かを判断する。撮影機会通知モードが終了していないと判断する限り（ステップＳ１１０５、Ｎｏ）、ステップＳ１１０１に戻り、制御部１０１は、アドバタイズ信号を送信し続ける。
【００６７】
デジタルカメラ１００とウェアラブル機器２００との間で通信が確立されると、制御部１０１は、ステップＳ１１０４で通信が切断されたと判断しない限り（ステップＳ１１０４、Ｎｏ）、ウェアラブル機器２００との通信が確立された状態を維持する。
一方、デジタルカメラ１００とウェアラブル機器２００との間の通信が切断されたと判断した場合には（ステップＳ１１０４、Ｙｅｓ）、制御部１０１は、ステップＳ１１０５で撮影機会通知モードが終了しているか否かを判断する。
【００６８】
撮影機会通知モードが終了していないと判断する限り（ステップＳ１１０５、Ｎｏ）、ステップＳ１１０１に戻り、制御部１０１は、アドバタイズ信号を送信し続け、次回のウェアラブル機器２００からの接続要求を待機する。
また、撮影機会通知モードが終了していると判断すると（ステップＳ１１０５、Ｙｅｓ）、制御部１０１は、撮影機会通知モードでのデジタルカメラ１００の動作を終了する。
【００６９】
＜ウェアラブル機器における撮影機会到来の通知画面＞
次に、ウェアラブル機器２００の表示部２０６に表示される撮影機会到来の通知画面について図６を用いて説明する。図６は、ウェアラブル機器２００の表示部２０６に表示される撮影機会到来の通知画面の例を示す模式図である。
【００７０】
前述のとおり、図５Ａにおいて、ステップＳ１２０５で撮影機会が到来したと判断した場合には、ステップＳ１２０６で、ウェアラブル機器２００の表示部２０６には、撮影機会の到来を通知する通知画面２００１が表示される。
【００７１】
この通知画面２００１には、撮影機会が到来したことをユーザへ伝えるべく、どのような撮影機会であるかを伝えるメッセージが表示される。図６の例では、ユーザが東京タワーの３００ｍ付近まで到達したことを示しており、有名な観光スポットである東京タワーの存在をユーザに伝えることで、撮影対象として東京タワーを撮影する撮影機会が到来していることをユーザに通知している。
【００７２】
また、通知画面２００１中には、「ＯＫ」ボタン２００２と「Ｎｏ  Ｔｈａｎｋｓ」ボタン２００３とが選択可能に配置されている。例えば、表示部２０６はタッチパネルで構成され、「ＯＫ」ボタン２００２又は「Ｎｏ  Ｔｈａｎｋｓ」ボタン２００３の表示領域に触れることにより、いずれかのボタンを選択することが可能になっている。ユーザが「ＯＫ」ボタン２００２を選択した場合には、そのまま通知画面２００１が閉じられる。一方、ユーザが「Ｎｏ  Ｔｈａｎｋｓ」ボタン２００３を選択した場合には、通知不要が設定され、以後、通知画面２００１に通知されていた情報である東京タワーの情報を表示しないように、制御部２０１は、ウェアラブル機器２００の動作を制御する。
【００７３】
このように、特定の撮影対象について、ユーザによるウェアラブル機器２００に対する入力により通知不要が設定された場合、制御部２０１は、その特定の撮影対象について撮影機会の到来を表示部２０６に通知しないように制御することができる。
【００７４】
以上のとおり、本実施形態によれば、ウェアラブル機器２００の表示部２０６に撮影機会の到来を通知するので、デジタルカメラ１００を携帯するユーザの撮影機会の逸失を低減し又は防止することができる。また、本実施形態によれば、デジタルカメラ１００とウェアラブル機器２００との間で通信が確立している場合にだけ撮影機会の到来を通知するので、ユーザがデジタルカメラ１００を携帯している場合にだけ撮影機会の到来を通知することができる。したがって、本実施形態によれば、デジタルカメラ１００を携帯していないユーザへの通知を抑制して、無駄なく撮影機会の到来を通知することができる。
なお、上記では、ウェアラブル機器２００の表示部２０６に表示された撮影機会到来の通知画面でユーザが選択した項目を元に、以後、東京タワーの情報を表示しないように動作すると説明した。このような動作に加えて又は代えて、撮影機会到来の通知に応じて実際にデジタルカメラ１００で撮影したかどうかの撮影経験の有無を記憶して、以後、表示しないように制御してもよい。
【００７５】
この実施形態は次のとおりである。
デジタルカメラ１００は、Ｂｌｕｅｔｏｏｔｈ通信等の通信をウェアラブル機器２００との間で確立している場合に、撮影処理実行時にその通信の接続相手であるウェアラブル機器２００へ撮影したことを通知する通知部を備える。デジタルカメラ１００の制御部１０１は、このような通知部として機能することができる。
一方、ウェアラブル機器２００の制御部２０１は、デジタルカメラ１００から上記の通知を受けたら、直近に撮影機会の到来を通知していたかどうかを判断する。撮影機会の到来を通知していた場合には、制御部２０１は、その撮影機会到来の通知で通知した特定の撮影対象についてユーザは撮影済みで撮影経験があると判断し、以後、同内容の撮影機会到来の通知を行わない。制御部２０１は、この撮影済みとの撮影経験の判断結果を例えば不揮発性メモリ２０３、記録媒体２１０等の記憶部にデータベースとして記録することができ、そのデータベースに基づき通知を行うか否かを決定することができる。こうして、撮影機会到来の通知に応じた撮影経験のある撮影対象について、以後、制御部２０１は、ウェアラブル機器２００での撮影機会到来の通知を行わない。
このようにして、不要な撮影機会到来の通知を行わず、必要な撮影機会到来のみを通知することができる。
【００７６】
［第２の実施形態］
本発明の第２の実施形態による通知システム、並びにウェアラブル機器、情報処理装置、撮影装置、及びそれらの制御方法について図７乃至図１０Ｃを用いて説明する。なお、上記第１の実施形態と同様の構成要素については同一の符号を付し説明を省略し又は簡略にする。
【００７７】
はじめに、本実施形態による通知システムの全体構成について図７を用いて説明する。図７は、本実施形態による通知システムの構成を示す模式図である。
本実施形態による通知システムも、上記第１の実施形態による通知システムと同様に、撮影装置であるデジタルカメラのユーザに、そのデジタルカメラによる撮影機会の到来を通知するものである。本実施形態による通知システムは、ウェアラブル機器２００とは別個の情報処理装置であるスマートフォンにおいて、撮影機会の到来を判断する点で、第１の実施形態とは異なるものである。
【００７８】
図７に示すように、本実施形態による通知システム２は、ユーザが撮影に用いるデジタルカメラ１００と、ユーザに対して撮影機会の到来を通知するウェアラブル機器２００とを含んでいる。さらに、本実施形態による通知システム２は、撮影機会の到来を判断するスマートフォン３００を含んでいる。スマートフォン３００とデジタルカメラ１００とは、無線通信で互いに通信可能に構成されている。また、スマートフォン３００とウェアラブル機器２００とは、無線通信で互いに通信可能に構成されている。以下、スマートフォン３００の構成について詳述する。なお、デジタルカメラ１００及びウェアラブル機器２００の構成は、それぞれ上記第１の実施形態の構成と同様である。
【００７９】
＜スマートフォンの構成＞
本実施形態による通知システム２におけるスマートフォン３００の構成について図８を用いて説明する。図８は、本実施形態による通知システム２における情報処理装置の一例であるスマートフォン３００の構成例を示すブロック図である。なお、本実施形態では、情報処理装置の一例として通信機能を有するスマートフォンについて述べるが、情報処理装置はこれに限られない。例えば、情報処理装置は、無線通信機能付きのデジタルカメラ、携帯型のメディアプレーヤ、いわゆるタブレットデバイス、パーソナルコンピュータ等の通信機能を有する情報処理装置であってもよい。
【００８０】
図８に示すように、スマートフォン３００は、制御部３０１と、撮像部３０２と、不揮発性メモリ３０３と、作業用メモリ３０４とを有している。また、スマートフォン３００は、操作部３０５と、表示部３０６と、記録媒体３１０と、接続部３１１と、公衆網接続部３１２と、位置情報取得部３１３とを有している。さらに、スマートフォン３００は、マイク３１４と、スピーカ３１５とを有している。
【００８１】
制御部３０１は、入力された信号や、後述のプログラムに従ってスマートフォン３００の各部を制御する。なお、制御部３０１が装置全体を制御する代わりに、複数のハードウェアが処理を分担することで、装置全体を制御してもよい。
【００８２】
撮像部３０２は、レンズと撮像素子と信号処理部とを含み、レンズで結像された被写体光を撮像素子で電気信号に変換する。撮像部３０２は、撮像素子で変換された電気信号に対して、信号処理部でノイズ低減処理等を行い、デジタルデータを画像データとして出力する。撮像部３０２により撮像された画像データは、バッファメモリに蓄えられた後、制御部３０１にて所定の演算が行われ、その後、記録媒体３１０に記録される。
【００８３】
不揮発性メモリ３０３は、電気的に消去・記録可能な不揮発性のメモリであり、制御部３０１で実行される各種プログラム等が格納される。デジタルカメラ１００及びウェアラブル機器２００と通信するためのプログラムも不揮発性メモリ３０３に保持され、通信アプリケーションとしてインストールされているものとする。なお、本実施形態によるスマートフォン３００の処理は、通信アプリケーションにより提供されるプログラムを読み込むことにより実現される。なお、通信アプリケーションは、スマートフォン３００にインストールされたＯＳの基本的な機能を利用するためのプログラムを有しているものとする。なお、スマートフォン３００のＯＳが本実施形態における処理を実現するためのプログラムを有していてもよい。
作業用メモリ３０４は、撮像部３０２で生成された画像データを一時的に保存するバッファメモリや、表示部３０６の画像表示用メモリや、制御部３０１の作業領域等として使用される。
【００８４】
操作部３０５は、スマートフォン３００に対する指示をユーザから受け付けるために用いられる。操作部３０５は、例えば、ユーザがスマートフォン３００の電源のＯＮ／ＯＦＦを指示するための電源ボタンや、表示部３０６に形成されるタッチパネル等の操作部材を含む。
表示部３０６は、画像データの表示、対話的な操作のための文字表示等を行う。なお、表示部３０６は、必ずしもスマートフォン３００が内蔵する必要はない。スマートフォン３００は、表示部３０６と接続することができ、表示部３０６の表示を制御する表示制御機能を少なくとも有していればよい。表示部３０６は、例えばタッチパネルを用いて構成することができ、操作部３０５の一部又は全部の機能を兼ねることができる。
【００８５】
記録媒体３１０は、例えば、撮像部３０２から出力された画像データを記録することができる。また、記録媒体３１０は、画像データ以外の他の情報を記録することができる。記録媒体３１０は、スマートフォン３００に着脱可能なように構成してもよいし、スマートフォン３００に内蔵されていてもよい。すなわち、スマートフォン３００は、少なくとも記録媒体３１０にアクセスする手段を有していればよい。
【００８６】
接続部３１１は、外部装置と接続するためのインターフェースである。本実施形態によるスマートフォン３００は、接続部３１１を介して、デジタルカメラ１００、ウェアラブル機器２００等の外部装置と接続し、接続した外部装置とデータのやりとりを行うことができる。本実施形態では、接続部３１１はアンテナを含み、制御部３０１は、アンテナを含む接続部３１１を介して、デジタルカメラ１００、ウェアラブル機器２００等の外部装置と無線で接続することができる。なお、デジタルカメラ１００、ウェアラブル機器２００等の外部装置との接続では、直接接続してもよいし、中継サーバーを介して通信してもよい。
【００８７】
例えば、接続部３１１は、Ｂｌｕｅｔｏｏｔｈモジュールであり、データを通信するためのプロトコルとして、Ｂｌｕｅｔｏｏｔｈを通じた独自プロファイルを用いることができる。なお、デジタルカメラ１００、ウェアラブル機器２００等の外部装置との通信はこれに限られるものではない。例えば、接続部３１１は、近距離無線通信の通信モジュールであり、赤外線通信モジュール、無線ＬＡＮ通信モジュール、Ｗｉｒｅｌｅｓｓ  ＵＳＢ等の無線通信モジュールを含むことができる。さらには、ＵＳＢケーブルやＨＤＭＩ、ＩＥＥＥ１３９４等、有線接続を採用してもよい。
【００８８】
公衆網接続部３１２は、公衆無線通信を行う際に用いられるインターフェースである。スマートフォン３００は、公衆網接続部３１２を介して、他の機器と通話をしたり、データ通信をしたりすることができる。通話の際には、制御部３０１は、マイク３１４及びスピーカ３１５を介して音声信号の入力と出力を行う。本実施形態では、公衆網接続部３１２は、３Ｇを用いた通信を行うためのインターフェースを含むものとする。なお、３Ｇに限らず、ＬＴＥやＷｉＭＡＸ、ＡＤＳＬ、ＦＴＴＨ、いわゆる４Ｇといった他の通信方式を用いてもよい。また、接続部３１１及び公衆網接続部３１２は、必ずしも互いに独立したハードウェアで構成する必要はなく、例えば一つのアンテナで兼用することも可能である。
【００８９】
位置情報取得部３１３は、スマートフォン３００の現在位置に関する位置情報を取得するものである。スマートフォン３００の現在位置は、スマートフォン３００を携帯したユーザの現在位置に対応する。例えば、位置情報取得部３１３は、ＧＰＳモジュールであり、ＧＰＳ衛星からの電波を受信して測位を行い、スマートフォン３００の現在位置に関する位置情報を取得する。なお、位置情報取得部３１３が位置情報を取得する方式はこれに限定されるものではない。位置情報取得部３１３は、ＧＰＳによる測位のほか、例えば、スマートフォン３００が通信に利用している基地局の位置情報、無線ＬＡＮのアクセスポイントの位置情報を利用して、スマートフォン３００の現在位置に関する位置情報を取得することができる。
以上がスマートフォン３００の説明である。
【００９０】
＜ユースケース  その２＞
続いて、本実施形態による通知システム２のユースケースの一例について図９を用いて説明する。
図９は、デジタルカメラ１００とウェアラブル機器２００とに加え、スマートフォン３００を含む本実施形態による通知システム２において、ユーザに撮影機会の到来を通知する動作を示す模式図である。
【００９１】
スマートフォン３００は、ウェアラブル機器２００に比べて高機能であり、より高度に撮影機会が到来したことを判断することができる。スマートフォン３００は、デジタルカメラ１００のユーザに携帯されて使用される。
【００９２】
また、Ｂｌｕｅｔｏｏｔｈ通信等の通信のサーバー及びクライアントの機能のうち、ウェアラブル機器２００がクライアント機能を備えない場合がある。本実施形態では、クライアント機能を備えるスマートフォン３００が、サーバー機能を備えるデジタルカメラ１００と、サーバー機能を備えるウェアラブル機器２００とに通信可能に接続することで、第１の実施形態と同様の機能を提供することができる。
【００９３】
本実施形態による通知システム２の場合、スマートフォン３００が、Ｂｌｕｅｔｏｏｔｈ通信等の通信によるデジタルカメラ１００とウェアラブル機器２００との接続状態を判断する。スマートフォン３００は、接続部３１１を使用して、デジタルカメラ１００及びウェアラブル機器２００を探索し、デジタルカメラ１００及びウェアラブル機器２００を発見したらデジタルカメラ１００及びウェアラブル機器２００と無線で接続する。これにより、スマートフォン３００は、デジタルカメラ１００及びウェアラブル機器２００と通信を確立することができる。スマートフォン３００は、デジタルカメラ１００とウェアラブル機器２００とに通信可能に接続されている場合に、ユーザが手元近くにそれぞれを持ち備えており、デジタルカメラ１００による撮影が可能な状態であると判断することができる。また、デジタルカメラ１００及びウェアラブル機器２００を手元近くに持ち備えていると判断した場合、スマートフォン３００は、ユーザが身体に装着しているウェアラブル機器２００に撮影機会の到来を通知することが可能であると判断することができる。
【００９４】
スマートフォン３００は、第１の実施形態によるウェアラブル機器２００と同様にして、デジタルカメラ１００により撮影を行うべき撮影機会が到来したことを判断することができる。
例えば、デジタルカメラ１００により朝食、昼食、及び夕食の毎食の料理の写真を撮影するユーザは、朝食、昼食、及び夕食の食事の時刻をスマートフォン３００に予め設定しておく。この場合、スマートフォン３００は、ユーザにより予め設定された食事の時刻が到来したら、撮影機会が到来したと判断する。また、例えば、ユーザは、旅の行程等に基づき、イベントの時刻をスマートフォン３００に予め設定しておく。この場合、スマートフォン３００は、イベントの時刻が到来するたびに撮影機会が到来したと判断する。また、例えば、ユーザは、撮影ペースを配分した一定の時間間隔をスマートフォン３００に予め設定しておく。この場合、スマートフォン３００は、ユーザにより予め設定された一定の時間間隔が経過した時刻が到来するたびに、撮影機会が到来したと判断する。
【００９５】
他の例では、スマートフォン３００は、位置情報取得部３１３により取得されたスマートフォン３００の現在位置に関する位置情報に基づき、公衆網接続部３１２を介してインターネット等のネットワークから観光スポットや名所に関する情報を取得する。スマートフォン３００は、スマートフォン３００の現在位置の周辺又は近傍の観光スポットや名所等の撮影すべき撮影対象に関する情報を取得することができる。この場合、スマートフォン３００は、スマートフォン３００を携帯したユーザが観光スポットや名所等の撮影すべき撮影対象に所定の距離範囲内に近づいたときに、撮影機会が到来したと判断することができる。
【００９６】
撮影機会が到来したと判断したスマートフォン３００は、ウェアラブル機器２００に撮影機会到来の通知要求を送信する。
スマートフォン３００から撮影機会の到来の通知要求を受信したウェアラブル機器２００は、第１の実施形態と同様にして、ユーザに撮影機会の到来を通知することができる。
【００９７】
＜スマートフォンの動作＞
次に、本実施形態による通知システム２におけるスマートフォン３００の動作及び制御方法について図１０Ａを用いて説明する。図１０Ａは、本実施形態によるスマートフォン３００の動作を示すフローチャートである。図１０Ａは、撮影機会通知モードで動作しているときのスマートフォン３００の動作を示すものである。
【００９８】
スマートフォン３００がデジタルカメラ１００及びウェアラブル機器２００とＢｌｕｅｔｏｏｔｈ通信を行う場合、スマートフォン３００は、デジタルカメラ１００及びウェアラブル機器２００の両方とペアリングを済ませておく必要がある。こうしてペアリングを済ませておくことにより、スマートフォン３００は、撮影機会通知モードで動作することができる。
【００９９】
ステップＳ２３０１において、まず、スマートフォン３００の制御部３０１は、Ｂｌｕｅｔｏｏｔｈ等による接続部３１１を使用して、近距離無線通信でデジタルカメラ１００及びウェアラブル機器２００を探索する。制御部３０１は、デジタルカメラ１００及びウェアラブル機器２００がそれぞれ送信するアドバタイズ信号を探索することにより、デジタルカメラ１００及びウェアラブル機器２００をそれぞれ探索する。
【０１００】
ステップＳ２３０２で、制御部３０１がペアリング済みのデジタルカメラ１００又はウェアラブル機器２００を発見したら（ステップＳ２３０２、Ｙｅｓ）、制御部３０１は、ステップＳ２３０３で、接続部３１１を介して発見した機器に無線で接続する。制御部３０１は、発見したデジタルカメラ１００又はウェアラブル機器２００に対して接続要求を送信してデジタルカメラ１００又はウェアラブル機器２００と接続する。これにより、制御部３０１は、スマートフォン３００と、発見したデジタルカメラ１００又はウェアラブル機器２００との間でＢｌｕｅｔｏｏｔｈ通信等の通信を確立する。このように、制御部３０１は、接続部３１１とともに、無線通信でデジタルカメラ１００及びウェアラブル機器２００を探索して発見したらデジタルカメラ１００及びウェアラブル機器２００と通信を確立する通信部として機能する。
【０１０１】
また、ステップＳ２３０４で、制御部３０１は、スマートフォン３００がペアリング済みのデジタルカメラ１００及びウェアラブル機器２００の両方と接続中であるか否かを判断する。
【０１０２】
両方と接続中であると判断できない場合（ステップＳ２３０４、Ｎｏ）、制御部３０１は、ステップＳ２３０９で撮影機会通知モードが終了しているか否かを判断する。撮影機会通知モードが終了していないと判断する限り（ステップＳ２３０９、Ｎｏ）、ステップＳ２３０１に戻り、ペアリング済みのデジタルカメラ１００及びウェアラブル機器２００のうちの接続していない機器を探索し続ける。
【０１０３】
スマートフォン３００がペアリング済みのデジタルカメラ１００及びウェアラブル機器２００の両方と通信を確立した後（ステップＳ２３０４、Ｙｅｓ）、制御部３０１は、ステップＳ２３０５で撮影機会が到来したか否かの判断を行う。このように、制御部３０１は、撮影機会が到来したか否かを判断する判断部として機能する。
【０１０４】
この撮影機会の到来の判断は、前述のとおり、観光スポット等に近づいたときでもよいし、ユーザにより予め設定された食事等の時刻が到来したときでもよい。
例えば、制御部３０１は、位置情報取得部３１３により取得されたスマートフォン３００の現在位置に関する位置情報に基づき、撮影機会が到来したか否かを判断する。この場合、制御部３０１は、公衆網接続部３１２を介してインターネット等のネットワークから、スマートフォン３００の現在位置の周辺又は近傍の観光スポットや名所等の撮影すべき撮影対象に関する情報を取得する。制御部３０１は、位置情報取得部３１３で取得されたスマートフォン３００の現在位置に関する位置情報に基づき、撮影すべき撮影対象の所定の距離範囲内にユーザ近づいたと判断したときに、撮影機会が到来したと判断する。
また、例えば、制御部３０１は、ユーザにより予め設定された食事の時刻等の所定の時刻が到来した場合に、撮影機会が到来したと判断することもできる。
【０１０５】
ステップＳ２３０６で撮影機会が到来したと判断した場合（ステップＳ２３０６、Ｙｅｓ）、制御部３０１は、ステップＳ２３０７で、撮影機会到来の通知要求として、撮影機会到来の通知画面の表示要求をウェアラブル機器２００へ送信する。ここで送信する表示要求は、ウェアラブル機器２００の表示部２０６に撮影機会到来の通知画面を表示するようにウェアラブル機器２００に要求するものである。制御部３０１は、スマートフォン３００とデジタルカメラ１００及びウェアラブル機器２００との通信が確立している場合において、撮影機会が到来したと判断したときに、撮影機会到来のユーザへの通知をウェアラブル機器２００に行わせる。このように、制御部３０１は、撮影機会到来のユーザへの通知をウェアラブル機器２００に行わせる通知制御部として機能する。一方、スマートフォン３００とデジタルカメラ１００及びウェアラブル機器２００との通信が確立していない場合、制御部３０１は、撮影機会が到来したか否かの判断を行わず、当然に撮影機会到来のユーザへの通知をウェアラブル機器２００に行わせない。制御部３０１は、スマートフォン３００とデジタルカメラ１００及びウェアラブル機器２００との通信が確立している場合においてのみ、撮影機会到来のユーザへの通知をウェアラブル機器２００に行わせる。
【０１０６】
ステップＳ２３０６で撮影機会が到来していないと判断した場合（ステップＳ２３０６、Ｎｏ）、ステップＳ２３０８に移行する。また、撮影機会が到来してステップＳ２３０７で通知画面の表示要求を送信した後も、ステップＳ２３０８に移行する。ステップＳ２３０８で、制御部３０１は、スマートフォン３００とデジタルカメラ１００及びウェアラブル機器２００のいずれかとの間の通信が切断されたか否かを判断する。制御部３０１は、通信が切断されたと判断しない限りは（ステップＳ２３０８、Ｎｏ）、ステップＳ２３０５に戻り、撮影機会が到来したか否かを判断し続ける。
【０１０７】
一方、スマートフォン３００とデジタルカメラ１００及びウェアラブル機器２００のいずれかとの間の通信が切断されたと判断した場合には（ステップＳ２３０８、Ｙｅｓ）、制御部３０１は、撮影機会の到来を待機する処理を終了する。続いて、制御部３０１は、ステップＳ２３０９で撮影機会通知モードが終了しているか否かを判断する。
【０１０８】
撮影機会通知モードが終了していないと判断すると（ステップＳ２３０９、Ｎｏ）、ステップＳ２３０１に戻る。この場合、制御部３０１は、ペアリング済みのデジタルカメラ１００及びウェアラブル機器２００を探索し、発見すれば再度通信を確立して撮影機会の到来を通知できるようにする。
【０１０９】
また、撮影機会通知モードが終了していると判断すると（ステップＳ２３０９、Ｙｅｓ）、制御部３０１は、撮影機会通知モードでのスマートフォン３００の動作を終了する。なお、撮影機会通知モードは、スマートフォン３００、又はウェアラブル機器２００若しくはデジタルカメラ１００の操作でペアリングを解除することにより終了することができる。
【０１１０】
＜ウェアラブル機器の動作＞
次に、本実施形態による通知システム２におけるウェアラブル機器２００の動作及び制御方法について図１０Ｂを用いて説明する。図１０Ｂは、本実施形態によるウェアラブル機器２００の動作を示すフローチャートである。図１０Ｂは、撮影機会通知モードで動作しているときのウェアラブル機器２００の動作を示すものである。
【０１１１】
ステップＳ２２０１において、まず、ウェアラブル機器２００の制御部２０１は、Ｂｌｕｅｔｏｏｔｈ等による接続部２１１を使用して、スマートフォン３００の制御部３０１がウェアラブル機器２００を発見できるようにアドバタイズ信号を発信する。スマートフォン３００の制御部３０１は、このアドバタイズ信号を発見すると、ウェアラブル機器２００に接続要求を送信する。
【０１１２】
ステップＳ２２０２で、制御部２０１は、スマートフォン３００から接続要求を受信すると（ステップＳ２２０２、Ｙｅｓ）、ステップＳ２２０３で、接続部２１１を介してスマートフォン３００に無線で接続する。これにより、制御部２０１は、ウェアラブル機器２００とスマートフォン３００との間でＢｌｕｅｔｏｏｔｈ通信等の通信を確立する。
【０１１３】
一方、スマートフォン３００から接続要求を受信していない場合には（ステップＳ２２０２、Ｎｏ）、制御部２０１は、ステップＳ２２０７で撮影機会通知モードが終了しているか否かを判断する。撮影機会通知モードが終了していないと判断する限り（ステップＳ２２０７、Ｎｏ）、ステップＳ２２０１に戻り、制御部２０１は、アドバタイズ信号を送信し続ける。
【０１１４】
ウェアラブル機器２００とスマートフォン３００との間で通信が確立されると、制御部２０１は、ステップＳ２２０４でスマートフォン３００から撮影機会到来の通知画面の表示要求を待機する。
【０１１５】
通知画面の表示要求を受信したと判断した場合（ステップＳ２２０４、Ｙｅｓ）、制御部２０１は、ステップＳ２２０５でウェアラブル機器２００の表示部２０６に撮影機会到来の通知画面を表示する。この場合も、第１の実施形態と同様の通知画面を表示することができ、例えば、図６に示す通知画面を表示することができる。
【０１１６】
通知画面の表示要求を受信していないと判断した場合（ステップＳ２２０４、Ｎｏ）、ステップＳ２２０６に移行する。また、通知画面の表示要求を受信してステップＳ２２０５で通知画面を表示した後も、ステップＳ２２０６に移行する。ステップＳ２２０６で、制御部２０１は、ウェアラブル機器２００とスマートフォン３００との間の通信が切断されたか否かを判断する。制御部２０１は、通信が切断されたと判断しない限りは（ステップＳ２２０６、Ｎｏ）、ステップＳ２２０４に戻り、スマートフォン３００からの通知画面の表示要求を待機し続ける。
【０１１７】
一方、ウェアラブル機器２００とスマートフォン３００との間の通信が切断されたと判断した場合には（ステップＳ２２０６、Ｙｅｓ）、通知画面の表示要求を待機する処理を終了する。続いて、制御部２０１は、ステップＳ２２０７で撮影機会通知モードが終了しているか否かを判断する。
【０１１８】
撮影機会通知モードが終了していないと判断すると（ステップＳ２２０７、Ｎｏ）、ステップＳ２２０１に戻る。この場合、制御部２０１は、上記と同様に、でアドバタイズ信号を送信し続け、次回のスマートフォン３００からの接続要求を待機する。
【０１１９】
また、撮影機会通知モードが終了していると判断すると（ステップＳ２２０７、Ｙｅｓ）、制御部２０１は、撮影機会通知モードでのウェアラブル機器２００の動作を終了する。なお、撮影機会通知モードは、例えば、スマートフォン３００、又はウェアラブル機器２００若しくはデジタルカメラ１００の操作でペアリングを解除することにより終了することができる。
【０１２０】
＜デジタルカメラの動作＞
次に、本実施形態による通知システム２におけるデジタルカメラ１００の動作及び制御方法について図１０Ｃを用いて説明する。図１０Ｃは、本実施形態によるデジタルカメラ１００の動作を示すフローチャートである。図１０Ｃは、撮影機会通知モードで動作しているときのデジタルカメラ１００の動作を示すものである。
【０１２１】
本実施形態によるデジタルカメラ１００の動作は、第１の実施形態によるデジタルカメラ１００の動作とほぼ同様である。本実施形態によるデジタルカメラ１００は、ウェアラブル機器２００からの接続要求に代えて、スマートフォン３００からの接続要求を受信してスマートフォン３００と接続する点で、第１の実施形態によるデジタルカメラ１００とは異なっている。
【０１２２】
ステップＳ１１０１において、まず、デジタルカメラ１００の制御部１０１は、Ｂｌｕｅｔｏｏｔｈ等による接続部１１１を使用して、スマートフォン３００の制御部３０１がデジタルカメラ１００を発見できるようにアドバタイズ信号を発信する。スマートフォン３００の制御部３０１は、このアドバタイズ信号を発見すると、デジタルカメラ１００に接続要求を送信する。
【０１２３】
ステップＳ１１０２で、制御部１０１は、スマートフォン３００から接続要求を受信すると（ステップＳ１１０２、Ｙｅｓ）、ステップＳ１１０３で、接続部１１１を介してスマートフォン３００に無線で接続する。これにより、制御部１０１は、デジタルカメラ１００とスマートフォン３００との間でＢｌｕｅｔｏｏｔｈ通信等の通信を確立する。
【０１２４】
一方、ウェアラブル機器２００から接続要求を受信していない場合には（ステップＳ１１０２、Ｎｏ）、制御部１０１は、ステップＳ１１０５で撮影機会通知モードが終了しているか否かを判断する。撮影機会通知モードが終了していないと判断する限り（ステップＳ１１０５、Ｎｏ）、ステップＳ１１０１に戻り、制御部１０１は、アドバタイズ信号を送信し続ける。
【０１２５】
デジタルカメラ１００とスマートフォン３００との間で通信が確立されると、制御部１０１は、ステップＳ１１０４で通信が切断されたと判断しない限り（ステップＳ１１０４、Ｎｏ）、ウェアラブル機器２００との通信が確立された状態を維持する。
【０１２６】
一方、デジタルカメラ１００とスマートフォン３００の間の通信が切断されたと判断した場合には（ステップＳ１１０４、Ｙｅｓ）、制御部１０１は、ステップＳ１１０５で撮影機会通知モードが終了しているか否かを判断する。
【０１２７】
撮影機会通知モードが終了していないと判断する限り（ステップＳ１１０５、Ｎｏ）、ステップＳ１１０１に戻り、制御部１０１は、アドバタイズ信号を送信し続け、次回のスマートフォン３００からの接続要求を待機する。
【０１２８】
また、撮影機会通知モードが終了していると判断すると（ステップＳ１１０５、Ｙｅｓ）、制御部１０１は、撮影機会通知モードでのデジタルカメラ１００の動作を終了する。
【０１２９】
以上のとおり、本実施形態によれば、ウェアラブル機器２００の表示部２０６に撮影機会の到来を通知するので、デジタルカメラ１００を携帯するユーザの撮影機会の逸失を低減し又は防止することができる。また、本実施形態によれば、デジタルカメラ１００とスマートフォン３００との間で通信が確立している場合にだけ撮影機会の到来を通知するので、ユーザがデジタルカメラ１００を携帯している場合にだけ撮影機会の到来を通知することができる。したがって、本実施形態によれば、デジタルカメラ１００を携帯していないユーザへの通知を抑制して、無駄なく撮影機会の到来を通知することができる。
【０１３０】
なお、本実施形態においても、第１の実施形態と同様に、特定の撮影対象について、ユーザによるウェアラブル機器２００に対する入力により、撮影機会到来の通知不要を設定することができる。特定の撮影対象について通知不要が設定された場合、スマートフォン３００の制御部３０１は、その特定の撮影対象について撮影機会到来の通知画面の表示要求をウェアラブル機器２００に送信しないように制御することができる。
【０１３１】
また、本実施形態においても、第１の実施形態と同様に、撮影機会到来の通知に応じて実際にデジタルカメラ１００で撮影したかどうかの撮影経験の有無を記憶して、以後、通知画面の表示要求をウェアラブル機器２００に送信しないように制御してもよい。
【０１３２】
この実施形態は次のとおりである。
デジタルカメラ１００は、Ｂｌｕｅｔｏｏｔｈ通信等の通信をスマートフォン３００との間で確立している場合に、撮影処理実行時にその通信の接続相手であるスマートフォン３００へ撮影したことを通知する通知部を備える。デジタルカメラ１００の制御部１０１は、このような通知部として機能することができる。
一方、スマートフォン３００の制御部３０１は、デジタルカメラ１００から上記の通知を受けたら、直近に撮影機会到来の通知画面の表示要求をウェアラブル機器２００に送信していたかどうかを判断する。表示要求を送信していた場合には、制御部３０１は、その撮影機会到来の通知で通知した特定の撮影対象についてユーザは撮影済みで撮影経験があると判断し、以後、同内容の撮影機会到来の通知画面の表示要求をウェアラブル機器２００に送信しない。制御部３０１は、この撮影済みとの撮影経験の判断結果を例えば不揮発性メモリ３０３、記録媒体３１０等の記憶部にデータベースとして記録することができ、そのデータベースに基づき通知画面の表示要求の送信を行うか否かを決定することができる。こうして、撮影機会到来の通知に応じた撮影経験のある撮影対象について、以後、制御部３０１は、ウェアラブル機器２００に撮影機会到来の通知を行わせない。
【０１３３】
［第３の実施形態］
本発明の第３の実施形態による通知システム、並びにウェアラブル機器、撮影装置、及びそれらの制御方法について図１１乃至図１３を用いて説明する。なお、上記第１及び第２の実施形態と同様の構成要素については同一の符号を付し説明を省略し又は簡略にする。
【０１３４】
＜ユースケース  その３＞
本実施形態による通知システムの構成は、第１の実施形態による通知システム１の構成とほぼ同様である。以下、本実施形態による通知システムのユースケースの一例について図１１を用いて説明する。図１１は、デジタルカメラ１００とウェアラブル機器２００とを含む本実施形態による通知システム３において、ユーザに撮影機会の到来を通知する動作を示す模式図である。
【０１３５】
本実施形態による通知システム３が第１の実施形態による通知システム１と異なる点は、デジタルカメラ１００の表示部１０６にも撮影機会通知を可能とした構成である。
【０１３６】
本実施形態による通知システム３では、ユーザの身体に装着されたウェアラブル機器２００が、Ｂｌｕｅｔｏｏｔｈ通信等の通信によるデジタルカメラ１００との接続状態を判断し、ユーザが手元近くにデジタルカメラ１００を持ち備えていると判断できる。本実施形態による通知システム３では、ウェアラブル機器２００が撮影機会の到来を判断する。これらの点は、第１の実施形態と同じである。
【０１３７】
ここで、本実施形態では、デジタルカメラ１００のモード状態に応じて、撮影機会到来の通知画面をウェアラブル機器２００の表示部２０６に表示したり、デジタルカメラ１００の表示部１０６に表示したりすることができる。
【０１３８】
上記デジタルカメラ１００のモードとは、撮影スタンバイ中の「撮影モード」、撮影画像を表示部１０６に再生表示する「再生モード」、及び、ユーザが使用していない間に移行した省電力状態や電源オフ状態等の「待機モード」である。
【０１３９】
デジタルカメラ１００が「撮影モード」や「再生モード」にある場合、ユーザはデジタルカメラ１００を操作しているケースが主であると推定される。このため、ウェアラブル機器２００で撮影機会の到来を通知するよりも、デジタルカメラ１００で通知をした方が効果的である。本実施形態による通知システム３では、デジタルカメラ１００が「撮影モード」や「再生モード」にある場合、デジタルカメラ１００で撮影機会の到来をユーザに通知する。
【０１４０】
一方、デジタルカメラ１００が「待機モード」にある場合、ユーザがデジタルカメラ１００を操作しておらずカバンの中に収容しているようなケースが主であると推定される。このため、この場合、デジタルカメラ１００で撮影機会の到来を通知するよりも、ウェアラブル機器２００で通知する方が効果的である。本実施形態による通知システム３では、デジタルカメラ１００が「待機モード」にある場合、ウェアラブル機器２００で撮影機会の到来をユーザに通知する。
【０１４１】
このようにして、本実施形態による通知システム３では、デジタルカメラ１００のモード状態に応じて、より効果的な手段でユーザに撮影機会の到来を通知することができる。
【０１４２】
＜ウェアラブル機器の動作＞
次に、本実施形態による通知システム３におけるウェアラブル機器２００の動作及び制御方法について図１２Ａを用いて説明する。図１２Ａは、本実施形態によるウェアラブル機器２００の動作を示すフローチャートである。図１２Ａは、撮影機会通知モードで動作しているときのウェアラブル機器２００の動作を示すものである。
【０１４３】
ステップＳ１２０１において、まず、ウェアラブル機器２００の制御部２０１は、Ｂｌｕｅｔｏｏｔｈ等による接続部２１１を使用して、近距離無線通信でデジタルカメラ１００を探索する。制御部２０１は、デジタルカメラ１００が送信するアドバタイズ信号を探索することにより、デジタルカメラ１００を探索する。
【０１４４】
ステップＳ１２０２で、制御部２０１がペアリング済みのデジタルカメラ１００を発見したら（ステップＳ１２０２、Ｙｅｓ）、制御部２０１は、ステップＳ１２０３で、接続部２１１を介してデジタルカメラ１００と無線で接続する。制御部２０１は、デジタルカメラ１００に対して接続要求を送信してデジタルカメラ１００と接続する。これにより、制御部２０１は、ウェアラブル機器２００とデジタルカメラ１００との間でＢｌｕｅｔｏｏｔｈ通信等の通信を確立する。
【０１４５】
一方、発見していない場合には（ステップＳ１２０２、Ｎｏ）、制御部２０１は、ステップＳ１２０８で撮影機会通知モードが終了しているか否かを判断する。撮影機会通知モードが終了していないと判断する限り（ステップＳ１２０８、Ｎｏ）、ステップＳ１２０１に戻り、制御部２０１は、ペアリング済みのデジタルカメラ１００を探索し続ける。
【０１４６】
ウェアラブル機器２００がペアリング済みのデジタルカメラ１００との通信を確立した後、制御部２０１は、ステップＳ１２０４で撮影機会が到来したか否かの判断を行う。
この撮影機会の到来の判断は、前述のとおり、観光スポット等に近づいたときでもよいし、ユーザにより予め設定された食事等の時刻が到来したときでもよい。
制御部２０１は、第１の実施形態と同様にして撮影機会の到来を判断することができる。
【０１４７】
ステップＳ１２０５で撮影機会が到来したと判断した場合には、ステップＳ３２０１で、制御部２０１は、デジタルカメラ１００へデジタルカメラ１００のモード状態の取得要求を送信する。モード状態の取得要求を受信したデジタルカメラ１００は、そのモード状態を示すモード情報をウェアラブル機器２００に送信する。
【０１４８】
続いて、ステップＳ３２０２において、制御部２０１は、デジタルカメラ１００から送信されたモード情報に基づき、デジタルカメラ１００のモード状態を判断する。このように、制御部２０１は、デジタルカメラ１００のモードの状態を取得するモード取得部として機能する。
【０１４９】
デジタルカメラ１００のモードが「撮影モード」又は「再生モード」であると判断した場合（ステップＳ３２０１、「撮影・再生モード」）、制御部２０１は、ステップＳ３２０３でデジタルカメラ１００へ撮影機会到来の通知画面の表示要求を送信する。なお、この場合において、制御部２０１は、ウェアラブル機器２００の表示部２０６に撮影機会到来の通知画面を表示することもできるし、表示しなくてもよい。
【０１５０】
一方、デジタルカメラ１００のモードが「待機モード」であると判断した場合（ステップＳ３２０２、「待機モード」）、制御部２０１は、ステップＳ１２０６でウェアラブル機器２００の表示部２０６に撮影機会到来の通知画面を表示する。このときの通知画面の例は、図６に示したとおりである。
【０１５１】
ステップＳ１２０５で撮影機会が到来していないと判断した場合（ステップＳ１２０５、Ｎｏ）、ステップＳ１２０７に移行する。また、撮影機会が到来してステップＳ３２０３で通知画面の表示要求を送信し又はステップＳ１２０６で通知画面を表示した後も、ステップＳ１２０７に移行する。ステップＳ１２０７で、制御部２０１は、ウェアラブル機器２００とデジタルカメラ１００との間の通信が切断されたか否かを判断する。制御部２０１は、通信が切断されたと判断しない限りは（ステップＳ１２０７、Ｎｏ）、ステップＳ１２０４に戻り、撮影機会が到来したか否かを判断し続ける。
【０１５２】
一方、ウェアラブル機器２００とデジタルカメラ１００との間の通信が切断されたと判断した場合には（ステップＳ１２０７、Ｙｅｓ）、制御部２０１は、撮影機会の到来を待機する処理を終了する。続いて、制御部２０１は、ステップＳ１２０８で撮影機会通知モードが終了しているか否かを判断する。
【０１５３】
撮影機会通知モードが終了していないと判断すると（ステップＳ１２０８、Ｎｏ）、ステップＳ１２０１に戻る。この場合、制御部２０１は、上記と同様に、ペアリング済みのデジタルカメラ１００を探索し、発見すれば再度通信を確立して撮影機会の到来を通知できるようにする。
【０１５４】
また、撮影機会通知モードが終了していると判断すると（ステップＳ１２０８、Ｙｅｓ）、制御部２０１は、撮影機会通知モードでのウェアラブル機器２００の動作を終了する。なお、撮影機会通知モードは、例えば、ウェアラブル機器２００又はデジタルカメラ１００の操作でペアリングを解除することにより終了することができる。
【０１５５】
＜デジタルカメラの動作＞
次に、本実施形態による通知システム３におけるデジタルカメラ１００の動作及び制御方法について図１２Ｂを用いて説明する。図１２Ｂは、本実施形態におけるデジタルカメラ１００の動作を示すフローチャートである。図１２Ｂは、撮影機会通知モードで動作しているときのデジタルカメラ１００の動作を示すものである。
【０１５６】
ステップＳ１１０１において、まず、デジタルカメラ１００は、Ｂｌｕｅｔｏｏｔｈ等による接続部１１１を使用して、ウェアラブル機器２００の制御部２０１がデジタルカメラ１００を発見できるようにアドバタイズ信号を発信する。ウェアラブル機器２００の制御部２０１は、このアドバタイズ信号を発見すると、デジタルカメラ１００に接続要求を送信する。
【０１５７】
ステップＳ１１０２で、制御部２０１は、ウェアラブル機器２００から接続要求を受信すると（ステップＳ１１０２、Ｙｅｓ）、ステップＳ１１０３で、接続部１１１を介してウェアラブル機器２００に無線で接続する。これにより、制御部１０１は、デジタルカメラ１００とウェアラブル機器２００との間でＢｌｕｅｔｏｏｔｈ通信等の通信を確立する。
【０１５８】
一方、ステップＳ１１０２でウェアラブル機器２００から接続要求を受信していない場合には（ステップＳ１１０２、Ｎｏ）、制御部１０１は、ステップＳ１１０５で撮影機会通知モードが終了しているか否かを判定する。撮影機会通知モードが終了していないと判断する限り（ステップＳ１１０５、Ｎｏ）、ステップＳ１１０１に戻り、制御部１０１は、アドバタイズ信号を送信し続ける。
【０１５９】
デジタルカメラ１００とウェアラブル機器２００との間で通信が確立されると、制御部１０１は、ステップＳ３１０１でウェアラブル機器２００からのモード状態の取得要求を待機する。
【０１６０】
取得要求を受信したと判断したら（ステップＳ３１０１、Ｙｅｓ）、制御部１０１は、ステップＳ３１０２で現在のデジタルカメラ１００のモード状態を示すモード情報をウェアラブル機器２００へ送信する。
【０１６１】
モード情報の送信後、ステップＳ３１０３で、制御部１０１は、ウェアラブル機器２００からの撮影機会到来の通知画面の表示要求を待機する。なお、取得要求を受信していないと判断した場合も（ステップＳ３１０１、Ｎｏ）、ステップＳ３１０３に移行して、通知画面の表示要求を待機する。
【０１６２】
表示要求を受信したと判断したら（ステップＳ３１０３、Ｙｅｓ）、制御部１０１は、ステップＳ３１０４においてデジタルカメラ１００の表示部１０６に撮影機会到来の通知画面を表示する。このときの通知画面の例を図１３に示すが、説明は後述する。このように、制御部１０１は、撮影機会が到来したと判断した外部装置であるウェアラブル機器２００からの表示要求に基づき、撮影機会の到来を通知する通知画面を表示部１０６に表示する表示制御部として機能する。なお、表示要求を受信したと判断しない場合（ステップＳ３１０３、Ｎｏ）、ステップＳ１１０４に移行する。
【０１６３】
デジタルカメラ１００とウェアラブル機器２００との間で通信が確立されると、制御部１０１は、ステップＳ１１０４で通信が切断されたと判断しない限り（ステップＳ１１０４、Ｎｏ）、ウェアラブル機器２００との通信が確立された状態を維持する。この場合、ステップＳ３１０１に戻り、制御部１０１は、ウェアラブル機器２００からのモード状態の取得要求を待機する。
【０１６４】
一方、デジタルカメラ１００とウェアラブル機器２００との間の通信が切断されたと判断した場合には（ステップＳ１１０４、Ｙｅｓ）、制御部１０１は、ステップＳ１１０５で撮影機会通知モードが終了しているか否かを判断する。
【０１６５】
撮影機会通知モードが終了していないと判断する限り（ステップＳ１１０５、Ｎｏ）、ステップＳ１１０１に戻り、制御部１０１は、アドバタイズ信号を送信し続け、次回のウェアラブル機器２００からの接続要求を待機する。
また、撮影機会通知モードが終了していると判断すると（ステップＳ１１０５、Ｙｅｓ）、制御部１０１は、撮影機会通知モードでのデジタルカメラ１００の動作を終了する。
【０１６６】
＜デジタルカメラにおける撮影機会到来の通知画面＞
次に、デジタルカメラ１００の表示部１０６に表示される撮影機会到来の通知画面について図１３を用いて説明する。図１３は、デジタルカメラ１００の表示部１０６に表示される撮影機会到来の通知画面の例を示す模式図である。
【０１６７】
前述のとおり、図１２Ｂにおいて、ステップＳ３１０３でウェアラブル機器２００から撮影機会到来の通知画面の表示要求を受信したと判断した場合には、デジタルカメラ１００で撮影機会の到来が通知される。すなわち、ステップＳ３１０４で、デジタルカメラ１００の表示部１０６には、撮影機会到来の通知画面１００１が表示される。
【０１６８】
この通知画面１００１には、ウェアラブル機器２００が表示する図６に示す通知画面２００１と同様、撮影機会が到来したことをユーザへ伝えるべく、どのような撮影機会であるかを伝えるメッセージが表示される。図１３の例でも、ユーザが東京タワーの３００ｍ付近まで到達したことを示しており、有名な観光スポットである東京タワーの存在をユーザに伝えることで、撮影対象として東京タワーを撮影する撮影機会が到来していることをユーザに通知している。
【０１６９】
また、通知画面１００１中には、「ＯＫ」ボタン１００２と「Ｎｏ  Ｔｈａｎｋｓ」ボタン１００３とが選択可能に配置されている。例えば、表示部１０６はタッチパネルで構成され、「ＯＫ」ボタン１００２又は「Ｎｏ  Ｔｈａｎｋｓ」ボタン１００３の表示領域に触れることにより、いずれかのボタンを選択することが可能になっている。ユーザが「ＯＫ」ボタン１００２を選択した場合には、そのまま通知画面が閉じられる。一方、ユーザが「Ｎｏ  Ｔｈａｎｋｓ」ボタン１００３を選択した場合には、通知不要が設定され、以後、通知画面１００１に通知されていた情報である東京タワーの情報を表示しないようにデジタルカメラ１００が動作する。
なお、撮影機会到来の通知に応じた撮影経験がある撮影対象については、上記第１及び第２実施形態で説明したウェアラブル機器２００での撮影機会到来の通知と同様に、デジタルカメラ１００での撮影機会到来の通知も行わないようにすることができる。
【０１７０】
以上のとおり、本実施形態によれば、デジタルカメラ１００のモード状態に応じて、デジタルカメラ１００の表示部１０６に撮影機会の到来を通知するので、デジタルカメラ１００を携帯するユーザの撮影機会の逸失を低減し又は防止することができる。
【０１７１】
なお、上記では、第１の実施形態に基づいて、ウェアラブル機器２００及びデジタルカメラ１００の二者の構成で説明したが、これに限定されるものではない。第２の実施形態に基づいて、ウェアラブル機器２００及びデジタルカメラ１００にスマートフォン３００を加えた三者の構成で、上記と同様にデジタルカメラ１００で撮影機会到来の通知を実現してもよい。この場合、デジタルカメラ１００は、上記と同様に、そのモード状態を示すモード情報をスマートフォン３００へ通知する。スマートフォン３００の制御部３０１は、モード取得部として機能し、デジタルカメラ１００から通知されたモード情報に基づき、デジタルカメラ１００のモード状態を取得する。さらに、制御部３０１は、その取得したデジタルカメラ１００のモード状態に応じて、撮影機会到来の通知画面の表示要求をデジタルカメラ１００又はウェアラブル機器２００に送信する。撮影機会到来の通知画面の表示要求を受信したデジタルカメラ１００は、上記と同様に撮影機会到来の通知画面をその表示部１０６に表示する。また、撮影機会到来の通知画面の表示要求を受信したウェアラブル機器２００は、上記第２の実施形態と同様に撮影機会到来の通知画面をその表示部２０６に表示する。このように、スマートフォン３００の制御部３０１が、デジタルカメラ１００の表示部１０６に表示させるか、ウェアラブル機器２００の表示部２０６に表示させるかを判断してもよい。
【０１７２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１７３】
１、２、３…通知システム
１００…デジタルカメラ
２００…ウェアラブル機器
３００…スマートフォン
【図１】
2017215858.tif 000003
【図２】
2017215858.tif 000004
【図３】
2017215858.tif 000005
【図４】
2017215858.tif 000006
【図５Ａ】
2017215858.tif 000007
【図５Ｂ】
2017215858.tif 000008
【図６】
2017215858.tif 000009
【図７】
2017215858.tif 000010
【図８】
2017215858.tif 000011
【図９】
2017215858.tif 000012
【図１０Ａ】
2017215858.tif 000013
【図１０Ｂ】
2017215858.tif 000014
【図１０Ｃ】
2017215858.tif 000015
【図１１】
2017215858.tif 000016
【図１２Ａ】
2017215858.tif 000017
【図１２Ｂ】
2017215858.tif 000018
【図１３】
2017215858.tif 000019